(57)【要約】【課題】  使用者が自ら必要に応じて圧縮ボンベを開くことができ、また、使用者がバルブを操作できないまたは操作が間に合わないとき、内部の安全装置が自動的に作動し、圧縮ボンベを作用させることができる、より実用的で安全性の高い圧縮ボンベ用バルブ装置を提供する。【解決手段】  本考案は圧縮ボンベ用バルブ装置であって、気体の圧縮ボンベ端口に連結して用い、任意で圧縮ボンベの開閉を決定することができるバルブ装置であり、バルブ本体と、その内部に設置される安全装置と、安全装置を押し開いて突破装置を作動させる突っ張り装置と、圧縮ボンベ端口に連結される突破装置を含んで成り、突破装置により圧縮ボンベの圧縮気体を洩出させ、救命器材やその他気体の充填が必要な設備に気体を充填するために用いる。【選択図】  図１
0003112556.tif 000002
【実用新案登録請求の範囲】
【請求項１】
バルブ本体と、安全装置と、突っ張り装置及び突破装置とを備え、
上記バルブ本体は中空の筒体であり、側面に貫通孔を備え、その一端に複数の通孔を設け、外周面に突出した連結座体を設け、該連結座体内にバルブ本体内部と相通する収納孔を形成し、該収納孔を介し圧縮ボンベと連結することができ、
該安全装置は該バルブ本体の通孔側内部に設置され、集合させると中空の環状を呈する複数の弧形片を備え、各弧形片の内周面に凹み槽をそれぞれ形成し、該凹み槽の相隣する内周面にテーパ面を設け、各弧形片を集合させ中空の環状とした状態の外囲にバンドを設置し、該バンドにさらに紐を巻きつけ、該貫通孔からバルブ本体の外へと延伸すると共に、
該突っ張り装置は支持棒を備え、該バルブ本体内の安全装置内に該支持棒が組み込まれ、該支持棒前端部にテーパ部を形成し、該テーパ部を各弧形片のテーパ面に当てて設置し、該支持棒の棒体に該突破装置の駆動構造を設け、該支持棒後端部に圧力調整部材を設置し、該支持棒前端部が複数の弧形片の中心部に押し当てられると共に、
該突破装置は連結座体の収納孔内に設置され、圧縮ボンベを突き破るときに用いられ、組み立て後収納孔側に圧縮ボンベを連結して用いる、圧縮ボンベ用バルブ装置。
【考案の詳細な説明】
【技術分野】
【０００１】
本考案は圧縮ボンベ用バルブ装置に関し、詳細には、気体またはガスの開閉を任意に決定することができる圧縮ボンベのバルブに関する。
【背景技術】
【０００２】
人類の日常生活、交通手段、レジャーやアドベンチャー活動において、例えば水上救命器材（救命胴衣、救命浮き輪）やエアマット、飛行機の救命設備等、多くの場合に内部に気体を充填した設備の使用が必要となる。
【０００３】
従来の気体充填設備では、人力で空気を吹き込んだり、空気ポンプを使用したりする必要があった。しかし、前者は体力を消耗し、後者は時間がかかってしまう。そのため、特に上記設備を緊急に必要とする場合、例えば上述の水上救命器材のような設備は、受難者が落水する前後または救援時において、すぐに上記水上救命器材である救命胴衣または救命浮き輪に空気を充填することにより、緊急を要する危険に対応しなければならない。このような場合、予め高圧で気体を圧縮した圧縮ボンベを準備しておくと、救命器材などの空気充填を必要とする設備において、気体の充填が必要なとき、すぐに圧縮ボンベを開き、内部の気体を迅速に上記設備に充填することができる。
【０００４】
また、上記圧縮ボンベは、予め気体を圧縮しておくことができるほか、内部にガスを圧縮しておくことにより、ガスの噴射圧力を救命ロープ発射機やパラシュート発射機等各種領域に利用することもできる。
【０００５】
上述から分かるように、どのように使用者が高圧気体またはガスを適時利用するために圧縮ボンベを開くことができ、実際の必要性に対応することができるようにするかについては、圧縮ボンベのバルブ設計上考慮が必要な点である。特に、人力で圧縮ボンベを起動できない場合、または間に合わない場合において、圧縮ボンベを自動的に起動させることは、救命器材等の設備にとって必要な機能である。本考案は上述の機能を備えた圧縮ボンベ用バルブ装置を提供するものである。
【考案の開示】
【考案が解決しようとする課題】
【０００６】
本考案の主な目的は、バルブ内部部品と組み立て関係を利用した設計により、圧縮ボンベに連結することができるバルブを構成し、使用者が自ら必要に応じて圧縮ボンベを開くことができ、また、使用者がバルブを操作できないまたは操作が間に合わないとき、内部の安全装置が自動的に作動し、圧縮ボンベを作用させることができる、より実用的で安全性の高い圧縮ボンベ用バルブ装置を提供することにある。
【課題を解決するための手段】
【０００７】
上述の目的を達するため、本考案に係る圧縮ボンベ用バルブ装置はバルブ本体、安全装置、突っ張り装置及び突破装置を備えている。
【０００８】
上記バルブ本体は圧縮ボンベ端口の中空構造体に連結することができ、その内部に安全装置、突っ張り装置及び突破装置を設置し、選定した場所に進水用の通孔を設けている。
【０００９】
上記安全装置は集合させると環状になる複数の扇状弧形片を備えており、これら複数の弧形片を集合させて環状にした外側に、引裂き可能或いは迅速に水分を吸収でき、且つ、瞬間的に軟化分解するバンド（紙バンド等）を被せて設けている。上記バンドにはさらに紐を設けてバルブ本体外へ延伸している。
【００１０】
上記突っ張り装置は支持棒を備え、その棒体部分に突破装置の作動に用いる２つの嵌入槽を設け、さらに上記支持棒の後端部に弾性部品を含む圧力調整部材を設置している。上記支持棒の前端部は複数の弧形片の中心部に突っ張る状態とし、バンドが引裂けるまたは軟化分解して弧形片が散開した状態になると、上記圧力調整部材の弾性部品により上記支持棒が軸方向に移動して突破装置を作動させることができる。
【００１１】
上記突破装置は針部及び弾性部品等を含み、上記バルブ本体内に設置され、針部の一端の尖った部分を圧縮ボンベの端口に対応させ、別の一端を上述の支持棒の嵌入槽のうちの１つに当てている。上記支持棒の軸方向の移動により、上記針部を下方向へ押圧して上記圧縮ボンベの端口を突き破り、気体またはガスを噴出させ、救命設備等に用いることができる。
【考案を実施するための最良の形態】
【００１２】
本考案の構造的特徴及びその他作用、目的について図１〜７に基づき具体的に説明する。
【００１３】
図１に示すように、本考案に係る圧縮ボンベ用バルブ装置は、適時に気体またはガス圧縮ボンベ５０の端口を突き破ることができるバルブであり、バルブ本体１、安全装置２、突っ張り装置３及び突破装置４を含んで成る。
【００１４】
図１〜５は、本考案に係る圧縮ボンベ用バルブ装置の構成を示している。
【００１５】
そのうち、バルブ本体１は、図１〜４に示すように、圧縮ボンベ５０端口の中空構造体に組み込まれ、中空の円筒状とすることができ、側面部に径方向の貫通孔１１を設け、一端に複数の進水用の通孔１２１を形成し、別の一端に突っ張り装置３が組み込まれる。さらに、その円筒内壁に突出座部１３を設け、この突出座部１３に軸方向の導入槽１３１を形成する。また円筒外側下方に連結座体１４を突出させて設け、この連結座体１４内に径方向にバルブ本体１内部と相互に通じる収納孔１４１を形成し、且つ、この収納孔１４１側面に排気孔１４２をバルブ本体１外側へ延伸して設け、この排気孔１４２に救命器材（例：救命胴衣、救命浮き輪等）またはその他設備が連結される。
【００１６】
以上の構成により、中空の円筒状を呈するバルブ本体１は、その両端が相通した構造とすることができる。さらに、バルブ本体１の一端に蓋体１２を螺設し、この蓋体１２中央に軸孔１２２を設け、この軸孔１２２周囲に上述の通孔１２１が設けられる。さらに別の一端の内周面にめねじ１５を形成し、突っ張り装置３がここに組み込まれる。
【００１７】
安全装置２は、図１、図４、図５に示すように、集合させると中空の環状を呈する複数の扇状弧形片２１を備えている。集合した扇状括弧片２１はバルブ本体１の通孔１２１側内部に設置され、各弧形片２１内の内周面に弧形凹み槽２１１をそれぞれ形成し、この凹み槽２１１の相隣する内周面位置にテーパ面２１２を設けている。各弧形片２１を集合させて中空の環状とした状態の外囲に、迅速に水分を吸収でき、且つ、瞬間的に軟化分解するバンド２２を被せて設置する。このバンド２２は紙材で構成することができ、中段部分を捻って円柱状とし適切な靭性を加え、さらに片状の両端を相互に粘着して弧形片２１を囲み、さらにバンド２２に紐２４を巻きつけ、上述の貫通孔１１からバルブ本体１の外へと延伸する。
【００１８】
突っ張り装置３は、図１〜４に示すように、バルブ本体１内の安全装置２の内側に支持棒３１が設置され、支持棒３１の棒体に突起部３１１を設けて導入槽１３１に嵌合し、且つ、２つの内側に陥没した状態の嵌入槽３１２、３１２’を設けて収納孔１４１に対応させている。支持棒３１の後端部には半球部３１５及び弾性部品３３を含み、支持棒３１を付勢する圧力調整部材を設けている。支持棒３１の前端部にはテーパ部３１３が形成され、上記弧形片２１のテーパ面２１２に押し当てる。また、テーパ部３１３前端部に突起柱３１４を設けることにより、安全装置３は蓋体１２の軸孔１２２に移動して挿入することができる。
【００１９】
上記圧力調整部材はナット３２を含み、その外周におねじ３２１を設け、バルブ本体１のめねじ１５と螺合して軸方向の位置を調整することができる。このナット３２内に収納空間３２２を形成し、この収納空間３２２内に弾性部品３３及び支持部品３４をこの順に設置し、この支持部品３４が弾性部品３３の張力で持続的に支持棒３１後端部の半球部３１５を付勢する。
【００２０】
突破装置４は、図１から図４に示すように、針部４１を含み、この針部４１が連結座体１４の収納孔１４１内に穿置され、この針部４１の周囲に気密リング４１０を設けて気体がバルブ本体１に進入するのを防止している。針部４１の一端には直径がやや小さい突き刺し部４１１を設け、圧縮ボンベ５０の端口に対応させ、この突き刺し部４１１に弾性部品４２及び中空状の固定リング４３を被せて設置している。この固定リング４３が収納孔１４１内周面に連結され、弾性部品４２の支持部となり、弾性部品４２が持続的に針部４１の別の一端の先端部に設けられたボール４４を付勢している。これにより、ボール４４は支持棒３１の嵌入槽３１２に嵌合させ、支持棒３１の軸方向の前方への移動動作により、針部４１がボール４４により下圧されて、突き刺し部４１１で圧縮ボンベ５０の端口を突き破る。
【００２１】
本考案に係る圧縮ボンベ用バルブ装置は、上述のバルブ本体１、安全装置２、突っ張り装置３及び突破装置４により、安全装置２のバンド２２が紐２４により破られるか、水分に触れ自ら軟化して分解し、複数の弧形片２１が散開すると、圧力調整部材の弾性部品３３により支持棒３１が軸方向に前方へ押されて移動し、突破装置４に作用する構成となっている。
【００２２】
図６及び７は、本考案に係る圧縮ボンベ用バルブ装置の実施例を示している。
【００２３】
本考案の実施は、バルブ本体１の排気孔１４２と水上救命器材（救命胴衣、救命浮き輪）、エアマット、飛行機の救命設備等を接合して利用することができる。
【００２４】
使用の必要がないときは、複数の弧形片２１が支持棒３１の前方への移動を妨げるため、針部４１が圧縮ボンベ５０の端口を突き破ることはない（図４参照）。
【００２５】
しかし、使用の必要があるときは、使用者が上述の紐２４を引くと、同時にバンド２２が裂かれ（図６参照）、圧力調整部材の弾性部品３３が支持棒３１を前方へ移動させることにより、支持棒３１の前端部のテーパ部３１３により複数の弧形片２１を押し開く。これにより、支持棒３１を軸方向にさらに前方へ移動させ、針部４１上端部のボール４４は嵌入槽３１２を離脱し、同時に針部４１を下方向へ押し、圧縮ボンベ５０の端口を突き破る。支持棒３１が持続して前方へ移動すると、ボール４４が再び上昇して別の嵌入槽３１２’に嵌合され（図７参照）、再び針部４１が上昇して元の位置へと戻る。これにより、圧縮ボンベ50内部の気体を洩出させ、気体が収納孔１４１及び排気孔１４２を経由して上記設備に充填され、使用者による任意操作機能を得ることができる。
【００２６】
さらに、使用者が本考案に係る圧縮ボンベ用バルブ装置を操作不能、又は紐２４を操作して圧縮ボンベ５０の端口を突き破るのが間に合わない場合、通孔１２１を介して水をバルブ本体１に進入させることにより、バンド２２が濡れて軟化し、さらに支持棒３１の弾性により複数の弧形片２１が押されて開く。これにより、支持棒３１が前方へと移動し、同時にボール４４により針部４１が動くため、適時に自動的に作動して緊急時に対応する機能を得ることができる。
【００２７】
上述のように、本考案の圧縮ボンベ用バルブ装置は、確実に実用性と創作性を備えており、その手段の運用も新規的であり、且つ、効果と設計目的が符合し、合理的且つ進歩的であるため、法に基づきここに実用新案登録の出願を行うものである。
【図面の簡単な説明】
【００２８】
【図１】本考案の立体分解図である。
【図２】本考案の組み立て後の状態を示す軸方向断面図である。
【図３】本考案の組み立て後の状態を示す径方向断面図である。
【図４】本考案の局部構造を示す拡大断面図である。
【図５】本考案の弧形片の立体分解図である。
【図６】本考案の動作を示す断面図１である。
【図７】本考案の動作を示す断面図２である。
【符号の説明】
【００２９】
１        バルブ本体
２        安全装置
３        突っ張り装置
４        突破装置
１１      貫通孔
１２      蓋体
１３      突出座部
１４      連結座体
１５      めねじ
２１      弧形片
２２      バンド
２４      紐
３１      支持棒
３２      ナット
３３      弾性部品
３４      支持部品
４１      針部
４２      弾性部品
４３      固定リング
４４      ボール
５０      圧縮ボンベ
１２１    通孔
１２２    軸孔
１３１    導入槽
１４１    収納孔
１４２    排気孔
２１１    凹み槽
２１２    テーパ面
３１１    突起部
３１２、３１２’    嵌入槽
３１３    テーパ部
３１４    突起柱
３１５    半球部
３２１    おねじ
３２２    収納空間
４１０    気密リング
４１１    突き刺し部
【図１】
0003112556.tif 000003
【図２】
0003112556.tif 000004
【図３】
0003112556.tif 000005
【図４】
0003112556.tif 000006
【図５】
0003112556.tif 000007
【図６】
0003112556.tif 000008
【図７】
0003112556.tif 000009